(57)【要約】      （修正有）【課題】熱風回流防止機能を具えた散熱モジュールを提供する。【解決手段】主に散熱モジュール、発熱部品２４を含み、該散熱モジュールは少なくともファン２１、散熱器２３、散熱器嵌合具２２を含む。該散熱器嵌合具は該散熱器を該発熱部品上に固定する。該ファンは入口２１１１及び出口２１１２を具え、該出口は該散熱器と接続する。これにより該ファン入口の流体は該ファン出口の散熱器に向かって流れ、間接的に該発熱部品の散熱を助ける。該散熱モジュールは少なくとも１個のガード部２１４を設置し、該ファン出口の流体が該散熱器を経由し温度上昇の後に該ファンの入口に回流することを防止し、散熱効率を向上させることができる。【選択図】図４
2006177209.tif 000002
【特許請求の範囲】
【請求項１】
主に散熱モジュール、発熱部品を含み、
該散熱モジュールは少なくともファン、散熱器、散熱器嵌合具を含み、
該散熱器嵌合具は該散熱器を該発熱部品上に固定し、
該ファンは入口及び出口を具え、該出口は該散熱器と接続し、これにより該ファン入口の流体は該ファン出口の散熱器に向かって流れ、間接的に該発熱部品の散熱を助け、
該散熱モジュールは少なくとも１個のガード部を設置し、該ファン出口の流体が該散熱器を経由し温度上昇の後に該ファンの入口に回流することを防止し、散熱効率を向上させることを特徴とする熱風回流防止機能を具えた散熱モジュール。
【請求項２】
前記ガード部は前記ファン上に設置することを特徴とする請求項１記載の熱風回流防止機能を具えた散熱モジュール。
【請求項３】
前記ガード部は前記ファンと一体成型することを特徴とする請求項２記載の熱風回流防止機能を具えた散熱モジュール。
【請求項４】
前記ガード部と前記ファンは個別の単体であることを特徴とする請求項２記載の熱風回流防止機能を具えた散熱モジュール。
【請求項５】
前記ガード部は前記散熱器上に設置することを特徴とする請求項１記載の熱風回流防止機能を具えた散熱モジュール。
【請求項６】
前記ガード部は前記散熱器と一体成型することを特徴とする請求項５記載の熱風回流防止機能を具えた散熱モジュール。
【請求項７】
前記ガード部と前記散熱器と個別の単体であることを特徴とする請求項５記載の熱風回流防止機能を具えた散熱モジュール。
【請求項８】
前記ガード部は前記散熱器嵌合具上に設置することを特徴とする請求項１記載の熱風回流防止機能を具えた散熱モジュール。
【請求項９】
前記ガード部は前記散熱器嵌合具と一体成型することを特徴とする請求項８記載の熱風回流防止機能を具えた散熱モジュール。
【請求項１０】
前記ガード部と前記散熱器は個別の単体であることを特徴とする請求項８記載の熱風回流防止機能を具えた散熱モジュール。
【請求項１１】
前記ガード部は任意の形状とすることができることを特徴とする請求項１記載の熱風回流防止機能を具えた散熱モジュール。
【請求項１２】
前記ガード部は吸音材質であることを特徴とする請求項１記載の熱風回流防止機能を具えた散熱モジュール。
【請求項１３】
前記ガード部は側壁を設置することを特徴とする請求項１記載の熱風回流防止機能を具えた散熱モジュール。
【発明の詳細な説明】
【技術分野】
【０００１】
本発明は一種の熱風回流防止機能を具えた散熱モジュールに関する。特に一種の発熱部品に応用する散熱モジュールに係る。
【背景技術】
【０００２】
図１、２、３に示すように、公知の散熱モジュール構造は発熱部品１２に応用される。該散熱モジュールはファン１４、散熱器１５、散熱器嵌合具１６を含む。
該発熱部品１２は機板１１の基台１３内に設置し、該基台１３は数個の係合ブロック１３１を突出形成する。該散熱器１５は該発熱部品１２表面に設置し、複数の鰭片１５１を具える。該鰭片１５１間には流道１５２を形成し、流体を流動させる。該散熱器嵌合具１６は該散熱器１５上に嵌設し、フレームカバー１６１を具える。該フレームカバー１６１は嵌持部品１６２、１６３、及び複数の貫通孔１６４を具える。該嵌持部品１６２、１６３上には係合固定孔１６２１、１６３１を設置し、該基台１３の係合ブロック１３１と係合する。こうして、該フレームカバー１６１は該散熱器１５を押し、これにより該散熱器１５は該発熱部品１２表面に密着、固定される。
該ファン１４はフレーム体１４１、ファンホイール１４２を具え、該フレーム体１４１には複数の貫通孔１４１１を設置する。しかも、該フレーム体１４１両面には入口１４１２、出口１４１３を具え、該出口１４１３は該散熱器１５上に密着する。さらに、少なくとも１個の固接部品１７は該フレーム体１４１の貫通孔１４１１及び該フレームカバー１６１の貫通孔を貫通し、これにより該ファン１４は該散熱器15及び該散熱器嵌合具１６上に固定される。
上記公知構造において、該ファン１４が作動すると流体を連動し、流体は該ファン１４の入口１４２２から出口１４１３の散熱器１５に向かい吹き付け、さらに、該散熱器１５の流道１５２を経由後、外へと流出する。該散熱器１５の流道１５２より流出する流体は温度の伝達作用のため温度が上昇し、また該ファン１４の作動の導引により、該散熱器１５周囲の流出する温度上昇流体は上に向かい該ファン１４の入口１４１２位置まで移動する。こうして、温度上昇後の流体は該ファン１４の入口１４１２から進入し、該出口１４１３に向かって吹き出す。しかし、こうした循環は熱対流の効率を下げ、延いては散熱効率を低下させている。
【発明の開示】
【発明が解決しようとする課題】
【０００３】
本発明の主要な目的は散熱モジュール上に少なくとも１個のガード部を設置し、散熱器を経由し温度が上昇した流体のファン入口への回流を防止し、これにより散熱効率を向上させ、
さらに、複雑な構造を必要とせず、発熱部品の使用寿命を延命可能な特性を具え、
また、ガード部は吸音材質により形成し、騒音の発生を抑えることができる熱風回流防止機能を具えた散熱モジュールを提供するものである。
【課題を解決するための手段】
【０００４】
上記課題を解決するため、本発明は下記の熱風回流防止機能を具えた散熱モジュールを提供する。
それは主に散熱モジュール、発熱部品を含み、
該散熱モジュールは少なくともファン、散熱器、散熱器嵌合具を含み、
該散熱器嵌合具は該散熱器を該発熱部品上に固定し、
該ファンは入口及び出口を具え、該出口は該散熱器と接続し、これにより該ファン入口の流体は該ファン出口の散熱器に向かって流れ、間接的に該発熱部品の散熱を助け、
該散熱モジュールは少なくとも１個のガード部を設置し、該ファン出口の流体が該散熱器を経由し温度上昇の後に該ファンの入口に回流することを防止し、散熱効率を向上させることを特徴とする熱風回流防止機能を具えた散熱モジュールである。
【発明の効果】
【０００５】
上記のように、本発明は散熱モジュール上に少なくとも１個のガード部を設置することにより、散熱器を経由し温度が上昇した流体のファン入口への回流を防止し、これにより散熱効率を向上させることができる。また本発明は複雑な構造が不要でありながら、発熱部品の使用寿命を延命可能な特性を具える。さらに、ガード部は吸音材質により形成するため、騒音の発生を抑えることができる。
【発明を実施するための最良の形態】
【０００６】
図４、５に示すように、本発明は散熱モジュール及び発熱部品２４を含む。
該散熱モジュールは少なくともファン２１、散熱器２３、散熱器嵌合具２２を含む。
該ファン２１はファンフレーム２１１及びファンホイール２１２を含み、該ファンフレーム２１１は入口２１１１及び出口２１１２を具える。該ファンフレーム２１１の四隅には貫通孔を開設し、接固部品２７により貫通する。該ファンフレーム２１１上には外に向かい突出するガード部２１４を設置し、該散熱器２３は複数の鰭片２３１を形成し、該鰭片２３１と該鰭片２３１間には流体を流動させる流道２３２を形成する。
該散熱器嵌合具２２中央には開口部２２１を開設し、四隅には該ファン２１を固定する穿孔２２２を開設する。該散熱器嵌合具２２の両外側には嵌持部品２２３、２２４を設置し、該嵌持部品２２３、２２４上には係合固定孔２２３１、２２４１を開設する。該嵌持部品２２４は可動状態で該散熱器嵌合具２２上に設置する。
該発熱部品２４は機板２５の基台２６内に設置する。該基台２６は該散熱器２３のフレーム体に設置され、該基台２６周囲にはそれぞれ嵌合ブロック２６１を外向きに伸び出させる。
【０００７】
組合せ時には、該発熱部品２４は該機板２５上において直接該基台２６内に設置し、該散熱モジュールの散熱器２３を該発熱部品２４表面に密着させる。続いて該散熱器嵌合具２２両側の嵌持部品２２３、２２４をそれぞれ該基台２６両側に垂直に設置し、該嵌持部品２２３、２２４の係合固定孔２２３１、２２４１を該基台２６周囲の嵌合ブロック２６１に嵌合する。さらに、該散熱器嵌合具２２を該散熱器２３上に嵌設し、該散熱器２３を押さえ、該散熱器２３を該発熱部品２４上に固定する。該ファン２１の出口２１１２は該散熱器嵌合具２２上に設置し、該接固部品２７により該ファンフレーム２１１の貫通孔２１３及び該散熱器嵌合具２２の穿孔２２２を貫通する。これにより、該ファン２１は該散熱器２３及び該散熱器嵌合具２２上に設置され、該ガード部２１４は該散熱器２３の流道２３２出口周囲において設置される。
【０００８】
本発明の実際の使用時には図６に示すように、該ファン２１が回転すると流体を連動し、該ファン２１の入口２１１１より流体は進入し、該出口２１１２の散熱器２３に向かい吹き付ける。流体が該散熱器２３の流道２３２を経由する時、該発熱部品２４の熱量を伝達する散熱器２３の影響を受け、該流道２３２中の流体は温度伝達作用により温度が上昇し、該流道２３２の出口両側から外に向かって流出する。さらに、該流道２３２出口周囲に設置するガード部２１４により、温度上昇後の流体の該ファン２１の入口２１１への流動を防止し、こうして温度上昇後の流体の該散熱器２３への回流を防ぎ、熱対流効率の低下を防止する。
すなわち、こうして公知構造の実施における欠点を改善し、散熱モジュールの散熱効率を向上させ、該発熱部品２４の使用寿命を延命することができる。
また該ガード部２４は該ファン２１と一体成型、或いは個別に単体組立てとすることができ、共に本発明の範疇に属するものである。
【０００９】
次に図７、８、９に示すように、本発明の第二最適実施例の全体構造、機能、実施形態はおよそ上記実施例と同様である。両者の相違点について以下に説明する。
本実施例のガード部３１４は該散熱器嵌合具２２と接続組立て、また該ガード部３１４は該散熱器嵌合具２２と一体成型、或いは個別に単体組立てとすることができ、共に本発明の範疇に属するものである。
さらに図１０、１１、１２に示すように、本発明の第三最適実施例の全体構造、機能、実施形態はおよそ上記実施例と同様である。両者の相違点について以下に説明する。
本実施例のガード部４１４は該散熱器２３と接続組立て、また該ガード部４１４は該散熱器２３と一体成型、或いは個別に単体組立てとすることができ、共に本発明の範疇に属するものである。
【００１０】
次に図１３に示すように、本発明の第四最適実施例の全体構造、機能、実施形態はおよそ上記実施例と同様である。両者の相違点について以下に説明する。
本実施例のガード部５１４両側には該ガード部５１４と連続する側壁５１４１を設置、或いは形成する。該側壁５１４１は該散熱器２３の鰭片２３１と平行、かつ隣接し、また該ガード部５１４及び該側壁５１４１もまた該散熱器２３と一体成型、或いは個別に単体組立てとすることができ、共に本発明の範疇に属するものである。
さらに図１４、１５に示すように、本発明の第五最適実施例の全体構造、機能、実施形態はおよそ上記実施例と同様である。両者の相違点について以下に説明する。
本実施例の散熱器６３は円柱状で、その鰭片６３１は放射状に周囲に延伸し、該鰭片６３１と該鰭片６３１間の流道６３２もまた放射状を呈する。該散熱器嵌合具６２は該散熱器６３の形状に従い円環状を呈する。かつ、該機板２５の基台２６もまた該散熱器６３の形状に従い円環状を呈し、該ガード部６１４もまた該ファン２１のファンフレーム２１１周囲において円形に設計され、該放射状流道６３２の出口側に設置される。こうして該流道６３２より流出する温度上昇後の流体の回流を防止する。
【００１１】
次に図１６〜２１に示すように、上記各実施例のガード部２１４、３１４、４１４、５１４、６１４は半円形（図１６参照）、半楕円形（図１７参照）、台形（図１８参照）、五角形（図１９参照）、六角形（図２０参照）、或いは不規則形状（図２１参照）などの任意の形状に形成することができるが、図中に示す形状に限定するものではなく、図示以外の形状に形成することもできる。
この他、該各ガード部２１４、３１４、４１４、５１４、６１４は吸音材質で形成し、運転中のファン２１及び流体の流動が生じる騒音を吸収可能で、全体の騒音を低下させることができる。
以上は本発明の最適実施例を述べたまでで、本発明を利用する上記の方法、形状、構造、装置のすべての変化は本発明の権利範囲に含まれるものとする。
【図面の簡単な説明】
【００１２】
【図１】公知のファンモジュールの立体分解指示図である。
【図２】公知のファンモジュールの立体分解組合せ図である。
【図３】公知のファンモジュールの断面作動指示図である。
【図４】本発明第一最適実施例の立体分解指示図である。
【図５】本発明第一最適実施例の立体組合せ指示図である。
【図６】本発明第一最適実施例の断面作動指示図である。
【図７】本発明第二最適実施例の立体分解指示図である。
【図８】本発明第二最適実施例の立体組合せ指示図である。
【図９】本発明第二最適実施例の断面作動指示図である。
【図１０】本発明第三最適実施例の立体分解指示図である。
【図１１】本発明第三最適実施例の立体組合せ指示図である。
【図１２】本発明第三最適実施例の断面作動指示図である。
【図１３】本発明第四最適実施例の立体組合せ指示図である。
【図１４】本発明第五最適実施例の立体分解指示図である。
【図１５】本発明第五最適実施例の立体分解指示図である。
【図１６】本発明最適実施例のガード部の別の様態の指示図である。
【図１７】本発明最適実施例のガード部の別の様態の指示図である。
【図１８】本発明最適実施例のガード部の別の様態の指示図である。
【図１９】本発明最適実施例のガード部の別の様態の指示図である。
【図２０】本発明最適実施例のガード部の別の様態の指示図である。
【図２１】本発明最適実施例のガード部の別の様態の指示図である。
【符号の説明】
【００１３】
１４  ファン
１４１  フレーム体
１４１１  貫通孔
１４２  ファンホイール
４１２  入口
１４１３  出口
１５  散熱器
１５１  鰭片
１５２  流道
１６  散熱器嵌合具
１６１  フレームカバー
１６２  嵌持部品
１６２１  係合固定孔
１６３  嵌持部品
１６３１  係合固定孔
１６４  貫通孔
１７  固接部品
２１  ファン
２１１  ファンフレーム
２１２  ファンホイール
２１３  貫通孔
２１４  ガード部
２２  散熱器嵌合具
２２１  開口部
２２２  穿孔
２２３  嵌持部品
２２３１  係合固定孔
２２４  嵌持部品
２２４１  係合固定孔
２３  散熱器
２３１  鰭片
２３２  流道
２４  発熱部品
２５  機板
２６  基台
２６１  嵌合ブロック
２７  接固部品
３１４  ガード部
４１４  ガード部
５１４  ガード部
５１４１  側壁
６１４  ガード部
６２  散熱器嵌合具
６３  散熱器
６３１  鰭片
６３２  流道
６６  基台
【図１】
2006177209.tif 000003
【図２】
2006177209.tif 000004
【図３】
2006177209.tif 000005
【図４】
2006177209.tif 000006
【図５】
2006177209.tif 000007
【図６】
2006177209.tif 000008
【図７】
2006177209.tif 000009
【図８】
2006177209.tif 000010
【図９】
2006177209.tif 000011
【図１０】
2006177209.tif 000012
【図１１】
2006177209.tif 000013
【図１２】
2006177209.tif 000014
【図１３】
2006177209.tif 000015
【図１４】
2006177209.tif 000016
【図１５】
2006177209.tif 000017
【図１６】
2006177209.tif 000018
【図１７】
2006177209.tif 000019
【図１８】
2006177209.tif 000020
【図１９】
2006177209.tif 000021
【図２０】
2006177209.tif 000022
【図２１】
2006177209.tif 000023